(57)【要約】      （修正有）【課題】外郭を形成する筐体の一部を形成しながらも、性能向上にも関与できるパネルを有する室内機を備えた空気調和機を提供する。【解決手段】外郭を形成する筐体１と、筐体の一部に形成されている空気の吸込口２と吹出口と、吸込口２より取り入れられた空気と熱交換する熱交換器１１と、吸込口２より取り入れられた空気が、熱交換器１１と熱交換された後、吹出口から吹き出すための気流を発生させるファン１０と、空気が吹出口より吹き出される運転時に、吹出風の上下方向における風向を設定する上下風向変更羽根５と、運転停止時には筐体１の一部を形成するパネル７と、を備え、空気が吹出口より吹き出される運転時には、パネル７は、上下風向変更羽根５とともに、吹出風の上下方向における風向を設定する構成としたことを特徴とする空気調和機。【選択図】図１
2018179305.tif 000002
【特許請求の範囲】
【請求項１】
外郭を形成する筐体と、
前記筐体の一部に形成されている空気の吸込口と吹出口と、
前記吸込口より取り入れられた空気と熱交換する熱交換器と、
前記吸込口より取り入れられた空気が、前記熱交換器と熱交換された後、前記吹出口から吹き出すための気流を発生させるファンと、
前記空気が前記吹出口より吹き出される運転時に、吹出風の上下方向における風向を設定する上下風向変更羽根と、
運転停止時に前記筐体の一部を形成するパネルと、を備え、
前記空気が前記吹出口より吹き出される運転時には、前記パネルは、前記上下風向変更羽根とともに、前記吹出風の上下方向における風向を設定する構成としたことを特徴とする空気調和機。
【請求項２】
前記パネルは、前記運転停止時には前記筐体の正面部を形成しているとともに、前記運転時には前記吹出風の上下方向における風向を設定する位置に移動する構成としたことを特徴とする前記請求項１に記載の空気調和機。
【請求項３】
前記パネルは、複数枚から構成されていることを特徴とする請求項１または２に記載の空気調和機。
【請求項４】
前記パネルは、運転時には、前記上下風向変更羽根の下流端と連続する位置に配置されることを特徴とする前記請求項２または３に記載の空気調和機。
【請求項５】
前記パネルは、運転時には、前記吹出口の上端部に配置されることを特徴とする前記請求項２または３に記載の空気調和機。
【請求項６】
前記パネルは、運転時には、前記吹出口の下端部に配置されることを特徴とする前記請求項２または３に記載の空気調和機。
【発明の詳細な説明】
【技術分野】
【０００１】
本発明は、空気調和機の室内機に関するものである。
【背景技術】
【０００２】
従来この種の空気調和機の室内機１０１は、室内機ケーシング１０２と、水平フラップ１０３と、正面パネル１０４とを備えている（例えば、特許文献１参照）。
【０００３】
図７は、特許文献１に記載された従来の室内機１０１の縦断面図である。図７に示すように、室内機ケーシング２は、室内へと吹き出される空気が通る吹出口１０５を有している。
【０００４】
そして、水平フラップ１０３は、吹出口１０５を開閉自在に設けられ、吹出口１０５から吹き出される吹出風を案内するものである。さらに、正面パネル１０４は、閉状態において、室内機ケーシング１０２と、吹出口１０５を閉じる水平フラップ１０３との間を覆い、正面視において水平フラップ１０３の一端を覆っている。
【０００５】
これにより、フラップ１０３の一端と吹出口１０５との間を隠蔽して外部から見え難くすることができるため、室内機１０１の美観を向上させている。
【先行技術文献】
【特許文献】
【０００６】
【特許文献１】特開２００６−２７５５１１号公報
【発明の概要】
【発明が解決しようとする課題】
【０００７】
しかしながら、前記従来の技術では、室内機１０１の美観の向上はできるが、室内機１０１の性能向上を実現することはできないという課題を有していた。
【０００８】
本発明は、前記従来の課題を解決するもので、外郭を形成する筐体の一部を形成しながらも、性能向上にも関与できるパネルを有する室内機を備えた空気調和機を提供することを目的とする。
【課題を解決するための手段】
【０００９】
前記従来の課題を解決するために、本発明の空気調和機は、外郭を形成する筐体と、前記筐体の一部に形成されている空気の吸込口と吹出口と、前記吸込口より取り入れられた空気と熱交換する熱交換器と、前記吸込口より取り入れられた空気が、前記熱交換器と熱交換された後、前記吹出口から吹き出すための気流を発生させるファンと、前記空気が前記吹出口より吹き出される運転時に、吹出風の上下方向における風向を設定する上下風向変更羽根と、運転停止時に前記筐体の一部を形成するパネルと、を備え、前記空気が前記吹出口より吹き出される運転時には、前記パネルは、前記上下風向変更羽根とともに、前記吹出風の上下方向における風向を設定する構成としたことを特徴とするものである。
【００１０】
これにより、前記パネルは、運転時には前記上下風向変更羽根とともに、前記吹出風の上下方向における風向を設定することで、使用者の快適性を向上できるとともに、運転停止時には前記筐体の一部を形成することで、室内機の小型化を実現できる。
【発明の効果】
【００１１】
本発明によれば、外郭を形成する筐体の一部を形成しながらも、性能向上にも関与できるパネルを有する室内機を備えた空気調和機を提供できる。
【図面の簡単な説明】
【００１２】
【図１】本発明の実施の形態１における空気調和機の室内機の運転停止時の縦断面図
【図２】同空気調和機の室内機の運転時の縦断面図
【図３】同空気調和機の他の室内機の運転時の縦断面図
【図４】同空気調和機の他の室内機の運転時の縦断面図
【図５】同空気調和機の他の室内機の運転時の縦断面図
【図６】同空気調和機の他の室内機の運転時の縦断面図
【図７】従来の空気調和機の室内機の縦断面図。
【発明を実施するための形態】
【００１３】
第１の発明は、外郭を形成する筐体と、前記筐体の一部に形成されている空気の吸込口と吹出口と、前記吸込口より取り入れられた空気と熱交換する熱交換器と、前記吸込口より取り入れられた空気が、前記熱交換器と熱交換された後、前記吹出口から吹き出すための気流を発生させるファンと、前記空気が前記吹出口より吹き出される運転時に、吹出風の上下方向における風向を設定する上下風向変更羽根と、運転停止時に前記筐体の一部を形成するパネルと、を備え、前記空気が前記吹出口より吹き出される運転時には、前記パネルは、前記上下風向変更羽根とともに、前記吹出風の上下方向における風向を設定する構成としたことを特徴とする空気調和機である。
【００１４】
これにより、前記パネルは、運転時には前記上下風向変更羽根とともに、前記吹出風の上下方向における風向を設定することで、使用者の快適性を向上できるとともに、運転停止時には前記筐体の一部を形成することで、室内機の小型化を実現できる。
【００１５】
第２の発明は、特に第１の発明において、前記パネルは、前記運転停止時には前記筐体の正面部を形成しているとともに、前記運転時には前記吹出風の上下方向における風向を設定する位置に移動する構成としたことを特徴とするものである。
【００１６】
これにより、使用者の快適性を向上できるとともに、運転停止時には筐体の正面部に沿うように配置されるため、室内機の小型化を実現できる。
【００１７】
第３の発明は、特に第１または第２の発明において、前記パネルは、複数枚から構成されていることを特徴とするものである。
【００１８】
これにより、運転時には前記上下風向変更羽根とともに、前記吹出風の上下方向における風向を設定するとき、様々に形態にて、使用者の快適性を向上できる。また、パネルが複数枚、例えば２枚より形成されていることで、一枚のみパネルを移動させる構成により、小型軽量となり稼動が行い易くなる。また、小型のため吹出口に配置された時に、筐体の下部に配置された家具などと干渉する可能性が少ない。さらに、２個で構成されているため、１個を吸込口に止めることができるため、吸込口の下方部を隠すことができ美観を損なうことを無くすことができる。
【００１９】
第４の発明は、特に第２または第３の発明において、前記パネルは、運転時には、前記上下風向変更羽根の下流端と連続する位置に配置されることを特徴とするものである。
【００２０】
これにより、吹き出しフラップの全長が長くなり、風向きの制御が助長される。すなわち、現状ある上下風向変更フラップの後縁に接続して、弦長の長い上下風向変更羽根となり風向を制御することができるため、著しい風向変更効果が得られる。
【００２１】
第５の発明は、特に第２または第３の発明において、前記パネルは、運転時には、前記吹出口の上端部に配置されることを特徴とするものである。
【００２２】
これにより、空気調和器の場合、一般的に暖房は下向き、冷房は上向きの風向制御が望まれるが、上端に移動させることにより、暖房時の下向き風向制御を促進できる。
【００２３】
第６の発明は、特に第２または第３の発明において、前記パネルは、運転時には、前記吹出口の下端部に配置されることを特徴とするものである。
【００２４】
これにより、空気調和器の場合、一般的に暖房は下向き、冷房は上向きの風向制御が望まれるが、下端に移動させることにより、冷房時の上向き風向制御を促進できる。
【００２５】
以下、本発明の実施の形態について、図面を参照しながら説明する。なお、以下の実施の形態の空気調和機においては、具体的な構成について説明するが、本発明は、この実施の形態によって、本発明が限定されるものではない。
【００２６】
（実施の形態１）
本発明の実施の形態１における空気調和機は、室内機と室外機（図示せず）が冷媒配管及び制御配線等により互いに接続された、所謂セパレート型の空気調和機である。室内機と室外機（図示せず）によりヒートポンプが構成されている。なお、実施の形態１における空気調和機の室内機は、室内の壁面に取り付ける壁掛け式室内機である。
【００２７】
図１は、本発明の実施の形態１における空気調和機の室内機の運転停止時の縦断面図
であり、図２は、同空気調和機の室内機の運転時の縦断面図である。
【００２８】
図１、図２に示すように、室内機は、外郭は筐体１にて形成されており、空気の吸込口２となる前面開口部および上面吸込口と、熱交換された空気を吹き出す吹出口３と、筐体１の正面部を形成するとともに、複数枚より形成されているパネル７とを備えている。
【００２９】
筐体１の内部には、吸込口２より吸引された空気に含まれる塵埃を除去するためのフィルタ１２と、その空気を熱交換する熱交換器１１と、熱交換器１１で熱交換して吹出口３から室内に吹き出すための気流を発生させる貫流ファンであるファン１０が設けられている。
【００３０】
また、熱交換器１１で熱交換された空気が、ファン１０の下流側から吹出口３の上流側に至る通風路４は、ファン１０の下流側に配置されて空気の流れを案内するリアガイダ８と、リアガイダ８に対向して配置されたスタビライザ９と、筐体１内の両側壁（図示せず）とで形成されている。
【００３１】
また、吹出口３には、前記吹出口３を開閉するとともに、空気の吹き出し方向を上下方向に変更し設定することができる上下風向変更羽根５が設けられている。さらに、吹出口３の内部及び上下風向変更羽根５の周囲の空気の吹き出し方向を左右に変更することができる左右風向変更羽根６が設けられている。
【００３２】
図１に示すように、ファン１０が停止している室内機の運転停止時は、パネル７及び上下風向変更羽根５が筐体１の外形ラインを規定するように配置される。なお、パネル７は、筐体１の正面部を形成している。
【００３３】
図２に示すように、ファン１０が駆動している室内機の運転時には、パネル７が、筐体
１の正面部を形成している状態から、移動装置（図示せず）により、パネル７は配置位置が吹出口３の空気の流路下流側に移動する。
【００３４】
そして、吸込口２である前面開口部より空気が吸引できるようになるとともに、上下風向変更羽根５とともに、吹出風の上下方向における風向を設定するようになる。そして、上下風向変更羽根５の作用を助長するように働いて、上向きあるいは下向きの風向制御をより促進する。
【００３５】
図３、図４は、本発明の実施の形態１における空気調和機の他の室内機の運転時の縦断面図である。
【００３６】
図３、図４に示すように、ファン１０が駆動している室内機の運転時には、パネル７が、上下風向変更羽根５の下流端と連続する位置に移動し、上下風向変更羽根５と連続に並べて配置される。これにより、吸込口２である前面開口部より空気が吸引できるようになるとともに、上下風向変更羽根５の作用を助長するように働いて、上向きあるいは下向きの風向制御をより促進する。
【００３７】
図３は、パネル７が、上下風向変更羽根５の下流端と連続する位置に移動し、上下風向変更羽根５と連続に並べて配置され、下向き風向を促進させるモードである。このとき、パネル７は、後方下向き向けられて、上下風向変更羽根５の弦長が伸びた働きをするため、暖房時の下向き風向を促進させて、吹出風の床面の暖気の到達性を向上できる。
【００３８】
また、図４は、パネル７が、上下風向変更羽根５の下流端と連続する位置に移動し、上下風向変更羽根５と連続に並べて配置され、上向き風向を促進させるモードである。このとき、パネル７は、前方上向き向けられて、吹出風が冷房の室内機の対向する壁面まで、居室空間の上部を流れて到達することが可能となる。また、居室内にいる人達に吹出風を当てらない無気流感が得られ、快適性を向上させることができる。
【００３９】
図５は、本発明の実施の形態１における空気調和機の他の室内機の運転時の縦断面図である。
【００４０】
図５に示すように、パネル７は、ファン１０が駆動している運転時には、吹出口３の上端部に配置されるものである。吹出風の上向きあるいは下向きの風向制御をより促進する。これにより、ファン１０から吹き出された吹出風において、スタビライザ９からの吹出口３の上部の吹出風の流れを、暖房時に下向きの制御することを促進でき、暖房時の床面到達性を向上させることができる。
【００４１】
図６は、本発明の実施の形態１における空気調和機の他の室内機の運転時の縦断面図である。
【００４２】
図６に示すように、パネル７は、ファン１０が駆動している運転時には、吹出口３の下端部に配置されるものである。吹出風の上向きあるいは下向きの風向制御をより促進する。これにより、ファン１０から吹き出された吹出風において、リアガイダ８から吹出口３の下部の流れを、冷房時に下向きの制御することを促進でき、冷房時の居室空間において、上部に冷気が流れ、人に気流を感じさせることを抑制して快適性を向上させることができる。
【００４３】
なお、本発明における空気調和機の室内機においては、パネル７が複数枚、例えば２枚より形成されていることで、一枚のみパネル７を移動させる構成により、小型軽量となり稼動が行い易くなる。また、移動したパネル７が小型のため吹出口３に配置された時に、
筐体１の下部に配置された家具などと干渉する可能性が少ない。さらに、２個で構成されているため、１個を吸込口２に配置させたままの状態にしておくことができるため、筐体１の正面部にある前面開口部の吸込口２の下方部を隠すことができ、美観を損なうことを防止することができる。
【産業上の利用可能性】
【００４４】
以上のように、本発明にかかる空気調和機は、外郭を形成する筐体の一部を形成しながらも、性能向上にも関与できるパネルを有する室内機を備えているので、家庭用のみならず、業務用等の大型空調機にも適用できる。
【符号の説明】
【００４５】
１  筐体（室内機）
２  吸込口
３  吹出口
４  通風路
５  上下風向変更羽根
６  左右風向変更羽根
７  パネル
８  リアガイダ
９  スタビライザ
１０  ファン
１１  熱交換器
１２  フィルタ
【図１】
2018179305.tif 000003
【図２】
2018179305.tif 000004
【図３】
2018179305.tif 000005
【図４】
2018179305.tif 000006
【図５】
2018179305.tif 000007
【図６】
2018179305.tif 000008
【図７】
2018179305.tif 000009